(57)【要約】【課題】本発明は、内装部品の有無によって係止状態が変わる内部保護機能を持った電気接続箱を提供することを目的とする。【解決手段】本発明の電気接続箱は、基板が収容される接続箱本体と、当該接続箱本体に装着されて前記基板を保護するカバーとを備える電気接続箱であって、前記接続箱本体に前記基板が収容されていない場合において、前記接続箱本体と前記カバーを仮係止状態とする仮固定機構と、前記接続箱本体に前記基板が収容されている場合において、前記基板の端部によって一部の動きを規制して本係止状態とする本固定機構とを有することを特徴とする。【選択図】図１
2014236635.tif 000002
【特許請求の範囲】
【請求項１】
基板が収容される接続箱本体と、当該接続箱本体に装着されて前記基板を保護するカバーとを備える電気接続箱であって、
前記接続箱本体に前記基板が収容されていない場合において、前記接続箱本体と前記カバーを仮係止状態とする仮固定機構と、
前記接続箱本体に前記基板が収容されている場合において、前記基板の端部によって一部の動きを規制して本係止状態とする本固定機構と
を有することを特徴とする電気接続箱。
【請求項２】
前記仮固定機構は、前記接続箱本体と前記ケースが嵌合する構造を持つ
ことを特徴とする請求項１記載の電気接続箱。
【請求項３】
前記本固定機構は、前記接続部本体に形成されたロック穴、並びに、前記カバーに形成されたロック腕、及び当該ロック腕の端部に形成されたロック爪からなり、前記基板の端部によって前記ロック腕が撓んだ状態において、前記ロック爪を前記ロック穴に係合させて前記本係止状態とする
ことを特徴とする請求項１又は２記載の電気接続箱。
【請求項４】
前記本固定機構は、前記接続部本体に形成されたロック穴、並びに、前記カバーに形成されたロック腕、及び当該ロック腕の端部に形成されたロック爪からなり、前記ロック腕が撓んでいない状態において、前記ロック爪を前記ロック穴に係合させて前記本係止状態とする
ことを特徴とする請求項１又は２記載の電気接続箱。
【請求項５】
前記本固定機構は、前記カバーに形成されたロック腕、及び当該ロック腕の端部に形成されたロック爪からなり、前記ロック爪を前記基板の端部に係合させて前記本係止状態とする
ことを特徴とする請求項１又は２記載の電気接続箱。
【発明の詳細な説明】
【技術分野】
【０００１】
この発明は、輸送時等における内部保護の機能を持つ電気接続箱に関する。
【背景技術】
【０００２】
従来から、接続箱本体、カバー、内装部品（基板、電子ユニット等）で構成される電気接続箱において、輸送などの際に内部を保護するための構造が提案されている。
【０００３】
その１つとして、例えば、正規のカバーとは異なる仮カバーを用いる電気接続箱がある。しかし、この電気接続箱の場合、仮カバーの分だけ部品点数が増えてしまう点が問題であった。また、この仮カバーも緩く固定されるため、輸送中に仮カバーが脱落してしまう点も問題であった。
【０００４】
そこで、特許文献１では、本固定時のカバーの位置とは異なる位置でカバーを仮固定する電気接続箱が提案されている。この電気接続箱の場合、上記従来例のように、仮カバーを用意する必要がなく、更に、仮固定の状態でもカバーが確実に固定されるため、輸送時等においてカバーが脱落することもない。
【０００５】
しかし、特許文献１に開示された電気接続箱の場合、仮固定の際に間違って本固定してしまうと、再びカバーを外せないという問題があった。また、仮固定を実現するためにカバーの形状を複雑にする必要があり、その分コストが増加してしまう点が問題であった。
【先行技術文献】
【特許文献】
【０００６】
【特許文献１】特開２００４−０９６８９９号公報
【発明の概要】
【発明が解決しようとする課題】
【０００７】
本発明は、上述した従来技術による問題点を解消するものであり、内装部品の有無によって係止状態が変わる内部保護機能を持った電気接続箱を提供することを目的とする。
【課題を解決するための手段】
【０００８】
本発明の実施形態に係る電気接続箱は、基板が収容される接続箱本体と、当該接続箱本体に装着されて前記基板を保護するカバーとを備える電気接続箱であって、前記接続箱本体に前記基板が収容されていない場合において、前記接続箱本体と前記カバーを仮係止状態とする仮固定機構と、前記接続箱本体に前記基板が収容されている場合において、前記基板の端部によって一部の動きを規制して本係止状態とする本固定機構とを有することを特徴とする。
【０００９】
本実施形態に係る電気接続箱によれば、接続箱本体に対するカバーの合わせ位置を変えることなく、内装部品の有無によって本係止状態、仮係止状態を切り替えることができるため、従来のように、内装部品未収容の状態において誤って本固定することはない。また、従来のように、仮係止状態であってもカバーが仮固定されるため、輸送時に発生する振動等によって接続箱本体からカバーが脱落する危険性も低減できる。
【００１０】
なお、前記仮固定機構は、前記接続箱本体と前記ケースが嵌合する構造を持っても良い。
【００１１】
また、前記本固定機構は、前記接続部本体に形成されたロック穴、並びに、前記カバーに形成されたロック腕、及び当該ロック腕の端部に形成されたロック爪からなり、前記基板の端部によって前記ロック腕が撓んだ状態において、前記ロック爪を前記ロック穴に係合させて前記本係止状態とするものでも良い。
【００１２】
また、前記本固定機構は、前記接続部本体に形成されたロック穴、並びに、前記カバーに形成されたロック腕、及び当該ロック腕の端部に形成されたロック爪からなり、前記ロック腕が撓んでいない状態において、前記ロック爪を前記ロック穴に係合させて前記本係止状態とするものでも良い。
【００１３】
また、前記本固定機構は、前記カバーに形成されたロック腕、及び当該ロック腕の端部に形成されたロック爪からなり、前記ロック爪を前記基板の端部に係合させて前記本係止状態とするものでも良い。
【発明の効果】
【００１４】
本発明によれば、内装部品の有無によって係止状態が変わる内部保護機能を持った電気接続箱を提供することができる。
【図面の簡単な説明】
【００１５】
【図１】本発明の第１の実施形態に係る電気接続箱の仮係止状態の構造を説明する断面図である。
【図２】同電気接続箱の本係止状態の構造を説明する断面図である。
【図３】同実施形態に係る他の電気接続箱の仮係止状態の構造を説明する断面図である。
【図４】同電気接続箱の仮係止状態の構造を説明する断面図である。
【図５】本発明の第２の実施形態に係る電気接続箱の仮係止状態の構造を説明する断面図である。
【図６】同電気接続箱の本係止状態の構造を説明する断面図である。
【図７】同電気接続箱において、本係止状態になる様子を説明する図である。
【図８】同電気接続箱の仮固定機構及び本固定機構の構造を説明する図である。
【図９】本発明の第３の実施形態に係る電気接続箱の仮係止状態の構造を説明する断面図である。
【図１０】同電気接続箱の本係止状態の構造を説明する断面図である。
【図１１】同電気接続箱の本係止状態の構造を説明する断面図である。
【図１２】同実施形態に係る他の電気接続箱の仮係止状態の構造を説明する図である。
【図１３】同電気接続箱の本係止状態の構造を説明する断面図である。
【図１４】同電気接続箱の本係止状態の構造を説明する断面図である。
【図１５】同実施形態に係る他の電気接続箱の仮係止状態の構造を説明する図である。
【図１６】同電気接続箱の本係止状態の構造を説明する断面図である。
【図１７】同実施形態に係る他の電気接続箱の本係止状態の構造を説明する断面図である。
【図１８】同実施形態に係る他の電気接続箱の本係止状態の構造を説明する断面図である。
【発明を実施するための形態】
【００１６】
以下、図面を参照しながら本発明の実施形態に係る電気接続箱について説明する。
【００１７】
［第１の実施形態］
本発明の第１の実施形態に係る電気接続箱１００は、基板や電子ユニット等の内装部品を収容するものであり、例えば、自動車等の車両に搭載される電気接続箱として用いられる。
【００１８】
この電気接続箱１００は、基板等の内装部品を収容する接続箱本体１１０と、この接続箱本体１１０に装着されて基板等を保護するカバー１２０を備えている。なお、これら接続箱本体１１０及びカバー１２０は、樹脂等を材料として成形されている。
【００１９】
次に、電気接続箱１００の係止構造について説明する。
なお、以下の説明において、「本固定」とは通常の使用では接続箱本体から取り外せない程度に強固にカバーを固定することをいい、「仮固定」とは接続箱本体から人為的に容易に取り外せるが、輸送時の振動などによっては接続箱本体から脱落しない程度にカバーを固定することを言う。また、「本係止状態」とは接続箱本体に内装部品を収容した状態で接続箱本体にカバーを装着すること、「仮係止状態」とは接続箱本体に内装部品を収容していない状態で接続箱本体にカバーを装着することをいう。「本係止状態」及び「仮係止状態」の総称を「係止状態」と呼ぶこともある。
【００２０】
図１及び図２は、電気接続箱１００の係止構造を説明する図である。図１は仮係止状態の構造、図２は本係止状態の構造をそれぞれ示している。これら図１及び図２は、内装部品の一例として基板１３０を収容する場合を示している。
【００２１】
電気接続箱１００の接続箱本体１１０は、基板１３０を収容する略矩形箱状に形成されている。接続箱本体１１０の底壁１１０ａには、基板１３０を支持するための円柱状の基板支持部１１１が形成されている。この基板支持部１１１の中央にはネジ１４０を嵌通させるネジ穴１１１ａが形成されており、これによって、接続箱本体１１０に対して基板１３０が固定される。更に、接続箱本体１１０の底壁１１０ａの端部には、ケース１２０を装着させるロック穴１１２が形成されている。このロック穴１１２には、接続箱本体１１０の側壁１１０ｂの下端の一部が露出している。
【００２２】
電気接続箱１００のカバー１２０は、接続箱本体１１０に収容された基板１３０を覆う略矩形状に形成されている。このカバー３２０は、接続箱本体１１０の内側に収まる大きさである。カバー１２０の天井壁１２０ａには、略円筒状の仮係止嵌合部１２１が形成されている。この仮係止嵌合部１２１は、接続箱本体１１０にカバー１２０を合わせた状態において基板支持部１１１に対応する位置に配置されている。また、仮係止嵌合部１２１の内径は、基板支持部１１１の外径とほぼ同じかそれよりも少し小さく形成されている。
【００２３】
また、カバー１２０の側壁１２０ｂの下端には、下側に向かう板状のロック腕１２２が形成されている。このロック腕１２２の下端には、カバー１２０の外側を向いたロック爪１２３が形成されている。更に、カバー１２０には、カバー１２０の内側において、側壁１２０ｂ及びロック腕１２２に掛けて連続的に形成されてリブ部１２４が形成されている。ここで、ロック腕１２２、ロック爪１２３及びリブ部１２４は、基板１３０の未収容時において、ロック穴１１２に引っ掛かりなく通過する位置であり、且つ、基板１３の収容時において、基板１３０の端部でリブ部１２４が押されてロック腕１２２がカバー１２０の外側に撓む位置に形成されている。また、ロック腕１２２は、基板１３０の収容時であって、仮係止嵌合部１２１の下端が基板１３０の上面に着いた状態において、ロック爪１２３の上面がカバー１２０の側壁１２０ｂの下端の高さになるような長さで形成されている。
【００２４】
なお、上記構成のうち、ロック穴１１２、ロック腕１２２、ロック爪１２３、及びリブ部１２４は本固定機構に含まれ、基板支持部１１１、及び仮係止嵌合部１２１は仮固定機構に含まれる。
【００２５】
続いて、電気接続箱１００の仮係止構造について説明する。この場合、図１に示すように、接続箱本体１１０にカバー１２０を装着しても、ロック腕１２３は撓まないため、ロック爪１２３はロック穴１１２に係合しない。そのため、カバー１２０は本固定されない。しかし、接続箱本体１１０に装着すると、基板支持部１１１と仮係止嵌合部１２１が嵌合する。これによって、樹脂等で成型された基板支持部１１１及び仮係止嵌合部１２１に若干の変形と摩擦が発生する。その結果、カバー１２０を仮固定することができる。
【００２６】
更に、仮係止状態の電気接続箱１００の高さは、ロック腕１２２、ロック爪１２３、及びリブ部１２４を除いて、カバー１２０の天井壁１２０ａの厚さ、仮係止嵌合部１２１の高さ、接続箱本体１１０の底壁１１０ａの厚さを合わせた高さに抑えることができる。これによって、輸送時等に必要なスペースを抑制できる。
【００２７】
続いて、電気接続箱１００の本係止状態について説明する。この場合、図２に示すように、仮係止嵌合部１２１の下端が基板１３０の上面に着いた状態では、ロック爪１２３の上面の高さは、カバー１２０の側壁１２０ｂの下端の高さにほぼ一致する。また、リブ部１２４が基板１３０の端部で押されることによって、ロック腕１２２がカバー１２０の外側に若干撓む（図２の点線矢印）。その結果、ロック爪１２４はロック穴１１２に係合し、カバー１２０が本固定される。
【００２８】
つまり、本実施形態に係る電気接続箱１００によれば、接続箱本体に対するカバーの合わせ位置を変えることなく、内装部品の有無によって本係止状態、仮係止状態を切り替えることができるため、従来のように、内装部品未収容の状態において誤って本固定することはない。また、電気接続箱１００によれば、従来のように、仮係止状態であってもカバーが仮固定されるため、輸送時に発生する振動等によって接続箱本体からカバーが脱落する危険性も低減できる。更に、仮係止状態の場合、本係止状態の場合よりも電気接続箱のサイズを小さくできるため、輸送等のコストを削減することも可能である。
【００２９】
次に、本実施形態に係る他の電気接続箱２００について説明する。ここでは、主に電気接続箱１００との相違点について説明する。
【００３０】
電気接続箱２００は、電気接続箱１００と同様、基板２３０を収容する接続箱本体２１０と、基板２３０を保護するカバー２２０を備えている。
【００３１】
図３及び図４は、電気接続箱２００の係止構造を説明する図である。図３は仮係止状態の構造、図４は本係止状態の構造をそれぞれ示している。
【００３２】
電気接続箱１００は、ロック腕１２２がカバー１２０の側壁１２０ｂに連続的に形成されており、更に、これらロック腕１２２及びカバー１２０には、カバー１２０の内側において基板１３０の端部に接触させるためのリブ部１２４が形成されていた。
【００３３】
これに対し、電気接続箱２００では、ロック腕２２２は、カバー２２０の内側において、天井壁２２０ａに直接形成されている。このロック腕２２２は、基板２３０の収容時において、基板２３０の端部に押されてカバー２２０の外側に若干撓む位置に形成されている。また、ロック腕２２２は、基板２３０の未収容時であって、仮係止嵌合部２２１（電気接続箱１００の仮係止嵌合部１２１に相当）の下端がこの基板２３０の上面に着いた状態において、ロック爪２２３の上面が接続箱本体２１０の底壁２１０ａの下端の高さになるような長さで形成されている。また、これらロック腕２２２及びロック爪２２３の配置に合わせ、ロック穴２１２は、基板２３０の未収容時において、ロック腕２２２及びロック爪２２３が引っ掛かりなく通過する位置及び大きさで形成されている。
【００３４】
なお、電気接続箱２００の場合、ロック穴２１２、ロック腕２２２、及びロック爪２２３は本固定機構に含まれ、基板支持部２１１（電気接続箱１００の基板支持部２１１に相当）、及び仮係止嵌合部２２１は仮固定機構に含まれる。
【００３５】
続いて、電気接続箱２００の仮係止状体について説明する。この場合、図３に示すように、ロック爪２２３はロック穴２１２に係合しないためカバー１２０は本固定されないが、基板支持部２１１と嵌合部２２１が嵌合するためカバー２２０を仮固定することができる。更に、仮係止状態の電気接続箱２００の高さは、ロック腕２２２、及びロック爪２２３を除いて、カバー２２０の天井壁２２０ａの厚さ、仮係止嵌合部２２１の高さ、接続箱本体２１０の底壁２１０ａの厚さを合わせた高さに抑えることができる。
【００３６】
続いて、電気接続箱２００の本係止状態について説明する。この場合、図４に示すように、ロック腕２２２が基板２３０の端部に押されることによって、カバー２２０の外側に若干撓む（図４の点線矢印）。その結果、ロック爪２２３はロック穴２１２に係合され、カバー２２０が本固定される。
【００３７】
つまり、電気接続箱２００によっても、電気接続箱１００と同様の効果を得ることができる。更に、電気接続箱２００によれば、電気接続箱１００とは異なり、基板でカバー自体を撓ませる必要はない。そのため、本係止状態におけるカバーの負担が少ないばかりでなく、カバーに加わる衝撃等を基板等の内装部品に伝わりにくくできる。また、電気接続箱１００のようにカバーの側壁にリブ部を形成しなくても良いため、カバーの側壁の構造を簡単にすることができる。
【００３８】
［第２の実施形態］
第１の実施形態に係る電気接続箱１００及び２００は、いずれも内装部品で押されたロック腕の撓みによって、ロック穴にロック爪が係合し本係止状態となるものであった。これに対し、第２の実施形態では、ロック腕が撓んでいない状態で、本係止状態となる電気接続箱について説明する。
【００３９】
電気接続箱３００は、電気接続箱１００と同様、基板３３０を収容する接続箱本体３１０と、基板３３０を保護するカバー３２０を備えている。
【００４０】
図５〜図７は、第２の実施形態に係る電気接続箱３００の係止構造を説明する図である。図５は仮係止状態の構造、図６は本係止状態の構造をそれぞれ示している。また、図７は本係止状態になる様子を説明する図である。
【００４１】
電気接続箱３００の接続箱本体３１０は、基板３３０を収容する略矩形箱状に形成されている。接続箱本体３１０の底壁３１０ａには、基板３３０を支持するための円柱状の基板支持部３１１が形成されている。この基板支持部３１１の中央にはネジ３４０を嵌通させるネジ穴３１１ａが形成されており、これによって、接続部本体３１０に対して基板３３０が固定される。更に、接続箱本体３１０の底壁３１０ａには、ロック穴３１２が形成されている。このロック穴３１２には、接続箱本体３１０に対してカバー３２０を装着させるための仮固定機構及び本固定機構が形成されているが、これら機構については後述する。
【００４２】
電気接続箱３００のカバー３２０は、接続箱本体３１０に収容された基板３３０を覆う略矩形状に形成されている。このカバー３２０は、接続箱本体３１０の内側に収まる大きさである。カバー３２０の天井壁３２０ａには、下側に向けて板状のロック腕３２２が形成されている。このロック腕３２２には、カバー３２０の内側面に対して基板接触突起部３２２ａが形成されている。この基板接触突起部３２２ａは、カバー３２０を接続箱本体３１０に装着する過程において基板３３０と接触する部分である。更に、ロック腕３２２の下端には、カバー３２０の内側を向いたロック爪３２３が形成されている。このロック爪３２３の両側面には、円柱状の仮係止突起部３２５が形成されている。
【００４３】
ここで、電気接続箱３００の本固定機構及び仮固定機構について図８を用いて説明する。図８（Ａ）は、ロック爪３２３、及び仮係止突起部３２５を下から見た図であり、図８（Ｂ）は、ロック穴３１２を上から見た図である。また、図８（Ｃ）は、ロック腕３２２、ロック爪３２３、及び仮係止突起部３２５と、ロック穴３１２の斜視図である。
【００４４】
電気接続箱３００のロック穴３１２には、上から順に仮係止嵌合部３１２ａと本係止係合部３１２ｂが形成されている。仮係止嵌合部３１２ａは２つに分れており、それぞれの部分は、接続箱本体３１０にカバー３２０を装着した場合に、仮係止突起部３２５に対応する位置で凹状に形成されている。更に、仮係止嵌合部３１２ａは、ロック腕３２２がカバー３２０外側に撓んだ状態において、仮係止突起部３２５が当たらないような位置に形成しておく。また、仮係止嵌合部３１２ａの凹みの幅は、仮係止突起部３２５の太さよりほんの少し狭く形成しておく。仮係止突起部３２５の２つの部分の間は、ロック爪３２３の幅よりも広く形成されている。一方、本係止係合部３１２ｂは、上から見て、仮係止嵌合部３１２ａの２つの部分の間に形成されている。更に、本係止嵌合部３１２ｂは、仮係止突起部３２５が仮係止嵌合部３１２ａよりも下にある場合において、その下面が、ロック爪３２３の上面の高さにくるように配置されている。
【００４５】
また、基板接触突起部３２２ａは、少なくとも仮係止突起部３２５が仮係止嵌合部３１２ａの高さにある状態において基板３３０と同じ高さに形成されている。但し、ロック爪３２３上面が本係止係合部３１２ｂ下面の高さにある状態において基板３３０下面よりも高い位置に形成しないようにする。
【００４６】
本実施形態に係る電気接続箱３００の場合、ロック腕３２２、ロック爪３２３、及びロック穴３１２の本係止係合部３１２ｂが本固定機構も含まれ、ロック腕３２２、ロック爪３２３、仮係止突起部３２５、及びロック穴３１２の仮係止嵌合部３１２ａが仮固定機構に含まれる。
【００４７】
続いて、電気接続箱３００の仮係止状態について説明する。この場合、図６に示すように、接続箱本体３１０にカバー３２０を装着する過程において、ロック腕３２２及びロック爪３２３が仮係止嵌合部３１２ａの間を抜け、やがて仮係止突起部３２５が仮係止嵌合部３１２ａの凹みに嵌る。仮係止嵌合部３１２ａの凹みの幅は、仮係止突起部３２５の太さよりもやや狭く形成されているため、仮係止嵌合部３１２ａ及び仮係止突起部３２５には若干の変形と摩擦が発生する。その結果、カバー３２０が仮固定される。
【００４８】
続いて、電気接続箱３００の本係止状態について説明する。この場合、図７に示すように、接続箱本体３１０にカバー３２０を装着する過程において、基板接触突起部３２２ａが基板３３０の端部に押され、ロック腕３２２がカバー３２０の外側に若干撓む（図７の点線矢印）。そのため、仮係止突起部３２５が仮係止嵌合部３１２ａの位置から外れる。その結果、仮係止突起部３２５は、仮係止嵌合部３１２ａの凹みに嵌ることはなく、ロック爪３２３は、仮係止嵌合部３１２ａの２つの部分の間をすり抜ける。そして、更にカバー３２０を押して、ロック爪３２３上面が本係止係合部３１２ｂの下面の高さまで下げる。この過程において、基板接触突起部３２２ａは、基板３３０の位置を通過するため、ロック腕３２２の撓みがなくなり、ロック爪３２３が本係止係合部３１２ｂに係合する。その結果、カバー３２０が本固定される。
【００４９】
つまり、本実施形態に係る電気接続箱３００によれば、第１の実施形態に係る電気接続箱１００及び２００と同様の効果を得ることができる。更に、電気接続箱３００によれば、第１の実施形態に係る電気接続箱１００及び２００とは異なり、本係止状態になった後においては、内装部品によってロック腕を撓ませる必要がないため、ロック腕及び内装部品の負担を軽減することができる。
【００５０】
［第３の実施形態］
第１及び第２の実施形態では、接続箱本体にロック穴を設けることで本係止状態を作っていた。これに対し、第３の実施形態では、内装部品自体にロック爪を係合させる電気接続箱について説明する。
【００５１】
電気接続箱４００は、電気接続箱１００と同様、基板４３０を収容する接続箱本体４１０と、基板４３０を保護するカバー４２０を備えている。
【００５２】
図９〜図１１は、電気接続箱４００の係止構造を説明する図である。図９は仮係止状態の構造、図１０は本係止状態の構造をそれぞれ示している。また、図１１は、図１０におけるＡ−Ａ´方向から見た平面図である。なお、図９に示す二点鎖線は、基板４３０の収容位置を示している。
【００５３】
基板４３０は、端部近傍に矩形状の穴４３０ａ（以下、「基板穴」と呼ぶ）が形成されている。
【００５４】
電気接続箱４００の接続箱本体４１０は、基板４３０を収容する略矩形箱状に形成されている。接続箱本体４１０の底壁４１０ａには、基板４３０を支持するための円柱状の基板支持部４１１が形成されている。この基板支持部４１１の中央にはネジ４４０を嵌通させるネジ穴４１１ａが形成されており、これによって、接続部本体４１０に対して基板４３０が固定される。更に、接続箱本体４１０の底壁４１０ａには、基板４３０収容時において、基板穴４３０ａに対応する位置に配置された仮係止嵌合部４１３が形成されている。この仮係止嵌合部４１３の上端には、カバー４２０の外側を向いた凸部４１３ａが形成されている。凸部４１３ａは、基板４３０の収容時において、少なくとも基板４３０の下面より上の位置に形成されている。また、凸部４１３ａは、下から上に掛けて中央部分を頂点とするスロープ状に形成されている。
【００５５】
電気接続箱４００のカバー４２０は、接続部本体４１０に収容された基板４３０を覆う略矩形状に形成されている。このカバー４２０の側壁４２０ｂはロック腕として機能するものであり、その下端にはカバー４２０の内側を向いたロック爪４２３が形成されている。このロック爪４２３は、カバー４２０の側壁４２０ｂの下端が接続箱本体４１０の底壁４１０ａに着いた状態において、上面が、仮係止嵌合部４１３の凸部４１３ａの下端よりも下になり、且つ、収容された基板４３０の下面とほぼ同じ高さになるように形成されている。また、ロック爪４２３は、接続箱本体４１０にカバー４２０を装着した際に、少なくとも凸部４１３ａの下側に入る程度の長さを持つ。
【００５６】
なお、上記構成のうち、ロック腕として機能するカバー４２０の側壁４２０ｂ、及びロック爪４２３は本固定機構に含まれ、仮係止嵌合部４１３、カバー４２０の側壁４２０ｂ、及びロック爪４２３は仮固定機構に含まれる。
【００５７】
続いて、電気接続箱４００の仮係止状態について説明する。この場合、図９に示すように、接続箱本体４１０にカバー４２０を装着する過程において、ロック爪４２３が仮係止突起部４１３の凸部４１３ａの上側のスロープを滑り、凸部４１３ａの下側に入る。これによって、ロック爪４２３を凸部４１３ａに引っ掛けることができる。但し、仮係止突起部４１３の凸部４１３ａの下側もスロープ状に形成されているため、人為的にはカバー４２０を容易に取り外すことができる。つまり、カバー４２０を仮固定することができる。
【００５８】
続いて、電気接続箱４００の本係止状態について説明する。この場合、図１０及び図１１に示すように、接続箱本体４１０にカバー４２０を装着すると、ロック爪４２３が基板４３０の下に入り込み、ロック爪４２３が基板穴４３０ａの横領域４３０ａにおいて係合する。その結果、カバー４３０が本固定される。
【００５９】
つまり、本実施形態に係る電気接続箱４００によれば、第１及び第２の実施形態に係る電気接続箱１００〜３００と同様、接続箱本体に対するカバーの合わせ位置を変えることなく、内装部品の有無によって本係止状態、仮係止状態を切り替えることができるため、従来のように、内装部品未収容の状態において誤って本固定することはない。また、電気接続箱４００によれば、従来のように、仮係止状態であってもカバーが仮固定されるため、輸送時に発生する振動等によって接続箱本体からカバーが脱落する危険性も低減できる。更に、電気接続箱４００によれば、電気接続箱１００〜３００とは異なり、ロック爪に係合される本係止係合部に当たる構成を持つ必要がないため、本固定機構の構造を単純にすることができる。
【００６０】
次に、本実施形態に係る他の電気接続箱５００の係止構造について説明する。ここでは、主に電気接続箱４００との相違点について説明する。
【００６１】
電気接続箱５００は、端部に切欠（以下、「基板切欠」と呼ぶ）が形成された基板を収容する電気接続箱である。
【００６２】
電気接続箱５００は、電気接続箱４００と同様、基板５３０を収容する接続箱本体５１０と、基板５３０を保護するカバー５２０を備えている。
【００６３】
図１２〜図１４は、電気接続箱５００の係止構造を説明する図である。図１２は仮係止状態の構造、図１３は本係止状態の構造をそれぞれ示している。また、図１４は、図１３におけるＢ−Ｂ´方向から見た平面図である。なお、図１２に示す二点鎖線は、基板５３０の収容位置を示している。
【００６４】
電気接続箱５００では、電気接続箱４００とは異なり、ロック爪５２３の幅が少なくとも基板切欠５３０ａの幅よりも広く形成されている。なお、電気接続箱５００の場合、ロック腕として機能するカバー５２０の側壁５２０ｂ、及びロック爪５２３が本固定機構に含まれ、仮係止嵌合部５１３、カバー５２０の側壁５２０ｂ、及びロック爪５２３が仮固定機構に含まれる。
続いて、電気接続箱５００の本係止状態の構造について説明する。
【００６５】
電気接続箱４００の場合、基板穴４３０の横領域４３１をロック爪４２３の係合箇所にすることができたが、基板５３０には当該領域４３１が存在しない。しかし、この場合であっても、ロック爪５２３の幅を基板切欠５３１よりも広くすることで、基板切欠５３１の上下領域５３０ａを係合箇所として、カバー５２０を接続箱本体５１０に本固定することができる。
【００６６】
つまり、電気接続箱５００によっても、ロック爪の幅を広くすることによって、電気接続箱４００と同様の効果を得ることができる。なお、電気接続箱５００の仮係止状態の構造については、電気接続箱４００の仮係止状態の構造と同様であるため説明を省略した。
【００６７】
次に、本実施形態に係る他の電気接続箱６００の係止構造について説明する。ここでは、主に電気接続箱４００との相違点について説明する。
【００６８】
図１５及び図１６は、電気接続箱６００の係止構造を説明する図である。図１５は仮係止状態の構造、図１６は本係止状態の構造をそれぞれ示している。また、図１５に示す二点鎖線は、基板６３０の収容位置を示している。
【００６９】
この電気接続箱６００は、端部に穴や切欠が形成されていない基板６３０を収容する電気接続箱である。
【００７０】
電気接続箱６００の接続箱本体６１０は、接続箱本体５００よりも、側壁６１０ａの分だけ大きく形成されている。また、接続箱本体６１０の側壁６１０ｂの内側には、仮係止嵌合凹部６１３が形成されている。この仮係止嵌合凹部６１３は、後述する仮係止嵌合凸部６２５と対応する形状を有している。更に、接続箱本体６１０の底壁６１０ａ及び側壁６１０ｂの接続箇所の内側には接続箇所に沿った撓み溝６１０ｃが形成されている。この撓み溝６１０ｃによって、側壁６１０ｂは、接続箱本体の外側に撓みやすくなる。
【００７１】
電気接続箱６００のカバー６２０の側壁６２０ｂは、外側が接続箱本体６１０の側壁６１０ｂの内側にほぼ接触する位置に形成されている。また、カバー６２０の側壁６２０ｂはロック腕として機能するものであり、その下端には、カバー６２０の内側を向いたロック爪６２３が形成されている。このロック爪６２３は、カバー６２０の側壁６２０ｂの下端が接続箱本体６１０の底面６１０ａに着いた状態において、上面が、収容された基板６３０の下面とほぼ同じ高さになるように形成されている。更に、カバー６２０の側壁６２０ｂには、外側を向いた仮係止嵌合凸部６２５が形成されている。仮係止嵌合凸部６２５は、下から上に掛けて中央部分を頂点とするスロープ状に形成されている。この仮係止嵌合凸部６２５は、仮係止嵌合凹部６１３に対応するものであり、カバー６２０の側壁６２０ｂの下端が接続箱本体６１０の底面６１０ａに着いた状態において、仮係止嵌合凹部６１３の高さに形成されている。
【００７２】
なお、電気接続箱６００の場合、ロック腕として機能するカバー６２０の側壁６２０ｂ、及びロック爪６２３が本固定機構に含まれ、仮係止嵌合凹部６１３、カバー６２０の側壁６２０ｂ、及び仮係止嵌合凸部６２５が仮固定機構に含まれる。
【００７３】
続いて、電気接続箱６００の仮係止状態について説明する。この場合、接続箱本体６１０にカバー６２０を装着する過程において、接続箱本体６１０の側壁６１０ｂがカバー６２０の仮係止嵌合凸部６２５に押され、外側に撓む。そして、更にカバー６２０を押していくと、図１５に示すように、やがて接続箱本体６１０の仮係止嵌合凹部６１３とカバー６２０の仮係止嵌合凸部６２５が嵌合する。これによって、接続箱本体６１０にカバー６２０が仮固定される。
【００７４】
続いて、電気接続箱６００の本係止状態について説明する。この場合も、接続箱本体６１０にカバー６２０を押していくと、仮係止状態のときと同様、カバー６２０の外側では、仮係止突起部６２５と仮係止嵌合部６１２ａが嵌合するが、それと共に、カバー６２０の内側では、収容された基板６３０の端部の下側にロック爪６２３が入り込み、ロック爪６２３が基板６３０に係合する。これによって、カバー６２０が接続箱本体６２０に本固定される。
【００７５】
つまり、電気接続箱６００によっても、接続箱本体の外側とカバーの内側に仮固定機構を構成することによって、電気接続箱４００及び５００と同様の効果を得ることができる。更に、内装部品に対する穴や切欠の加工が不要であるばかりでなく、接続部本体及びカバーの側壁に直接仮固定機構を形成するため、構造を単純化できる。
【００７６】
次に、本実施形態に係る他の電気接続箱７００の係止構造について説明する。
図１７は、電気接続箱７００の係止状態（本係止状態）の構造を説明する断面図である。
【００７７】
この電気接続箱７００は、電気接続箱４００の変形例であり、電気接続箱４００と同様、基板７３０を収容する接続箱本体７１０と、基板７３０を保護するカバー７２０を備えている。
【００７８】
電気接続箱４００の場合、接続箱本体４１０にカバー４２０を装着する過程において、仮係止突起部４１３或いは基板４３０の端部によってカバー４２０の側壁４２０ｂが撓んだ後、仮係止突起部４１３の凸部４１３ａの下側にロック爪４２３が入る。この過程において、ロック爪４２３が描く軌道よりも接続箱本体４１０の底壁４１０ａの上面が下がっていた方が、接続箱本体４１０の端部とロック爪４２３との引っ掛かりが低減でき、本固定或いは仮固定がし易くなる。
【００７９】
そこで、電気接続箱７００では、図１７の点線円で示すように、接続箱本体７１０の底的７１０ａの端部が斜めに加工されており、これに合せて、カバー７２０の側壁７２０ｂの下端も斜めに加工されている。こうすることで、接続箱本体７１０にカバー７２０を装着する過程において、接続箱本体７１０の底壁７１０ａがロック爪７２３の軌道を邪魔しなくなる。その結果、電気接続箱４００に比べ、本固定或いは仮固定がし易くなる。
【００８０】
次に、本実施形態に係る他の電気接続箱８００の係止構造について説明する。
図１８は、電気接続箱８００の係止状態（本係止状態）の構造を説明する図である。
【００８１】
この電気接続箱８００も、電気接続箱４００の変形例であり、電気接続箱４００と同様、基板８３０を収容する接続箱本体８１０と、基板８３０を保護するカバー８２０を備えている。
【００８２】
電気接続箱４００の場合、仮係止状態では、ロック爪４２３と仮係止突起部４１３のみが嵌合することで、カバー４２０が仮固定されていた。また、本係止状態では、ロック爪４２３と基板４３０のみが係合することで、カバー４２０が本固定されていた。しかし、嵌合箇所や係合箇所が少ないと、耐久性の点で問題となることもある。
【００８３】
そこで、電気接続箱８００では、図１８の点線円で示すように、接続箱本体８１０の端部に段差を形成すると共に、カバー８２０の側壁８２０ｂの下端に、この段差と対応する段差を形成する。その結果、接続箱本体８１０の底壁８１０ａの端部の段差と、カバー８２０の側壁８２０ｂの段差が嵌合する。これによって、本固定機構或いは仮固定機構以外にも、接続箱本体８１０及びカバー８２０にかかる上下方向や左右方向の力を分散することができ、その分だけ耐久性を増すことができる。
【符号の説明】
【００８４】
１００        電気接続箱
１１０        接続箱本体
１１１        基板支持部
１１２        ロック穴
１２０        カバー
１２１        仮係止嵌合部
１２２        ロック腕
１２３        ロック爪
１２４        リブ部
１３０        基板
１４０        ネジ
２００        電気接続箱
２１０        接続箱本体
２２０        カバー
２２１        仮係止嵌合部
２２２        ロック腕
２２３        ロック爪
２３０        基板
３００        電気接続箱
３１０        接続箱本体
３１１        基板支持部
３１２        ロック穴
３１２ａ      仮係止嵌合部
３１２ｂ      本係止係合部
３２０        カバー
３２２        ロック腕
３２２ａ      基板接触突起部
３２３        ロック爪
３２５        仮係止突起部
３３０        基板
３４０        ネジ
４００        電気接続箱
４１０        接続箱本体
４１１        基板支持部
４１３        仮係止突起部
４１３ａ      凸部
４２０        カバー
４２３        ロック爪
４３０        基板
４３１        基板穴
５００        電気接続箱
５１０        接続箱本体
５１３        仮係止突起部
５１３ａ      凸部
５２０        カバー
５２３        ロック爪
５３０        基板
５３１        基板切欠
６００        電気接続箱
６１０        接続箱本体
６１０ｃ      撓み溝
６１３        仮係止嵌合凹部
６２０        カバー
６２３        ロック爪
６２５        仮係止嵌合凸部
６３０        基板
７００        電気接続箱
７１０        接続箱本体
７２０        カバー
７２３        ロック爪
７３０        基板
８００        電気接続箱
８１０        接続箱本体
８２０        カバー
８３０        基板
【図１】
2014236635.tif 000003
【図２】
2014236635.tif 000004
【図３】
2014236635.tif 000005
【図４】
2014236635.tif 000006
【図５】
2014236635.tif 000007
【図６】
2014236635.tif 000008
【図７】
2014236635.tif 000009
【図８】
2014236635.tif 000010
【図９】
2014236635.tif 000011
【図１０】
2014236635.tif 000012
【図１１】
2014236635.tif 000013
【図１２】
2014236635.tif 000014
【図１３】
2014236635.tif 000015
【図１４】
2014236635.tif 000016
【図１５】
2014236635.tif 000017
【図１６】
2014236635.tif 000018
【図１７】
2014236635.tif 000019
【図１８】
2014236635.tif 000020